【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の局において、第１の変調およびコーディング方式と第１のシーケンス番号とを有する第１のマルチキャストフレームを受信することと、
前記第１の局において、否定応答要求を受信することと、ここで、前記否定応答要求は第２の変調およびコーディング方式と第２のシーケンス番号とを有し、前記第２の変調およびコーディング方式は、前記第１の変調およびコーディング方式よりも低いデータレートを有する、
前記第２のシーケンス番号が前記第１のシーケンス番号と一致するかどうかに基づいて、前記否定応答要求を選択的に確認応答することと、
を備える方法。
【請求項２】
前記第２のシーケンス番号が前記第１のシーケンス番号と一致しない場合、否定応答を送信することと、
前記否定応答に応答して、アクセスポイントから確認応答フレームを受信することと、
をさらに備える、請求項１に記載の方法。
【請求項３】
前記アクセスポイントから、送信要求メッセージを受信することと、ここで、前記送信要求メッセージは、前記第１の局を識別する、
前記受信することおよびクリアチャネルアセスメントに応答して、送信可メッセージを送信することと、
をさらに備える、請求項１に記載の方法。
【請求項４】
前記第１の局において、前記第１のマルチキャストフレームと第１のメッセージとを受信することと、ここで、前記第１のメッセージは、前記第１の局を応答側局として識別し、前記応答側局は、マルチキャストグループの複数の局のうちの１つである、
前記受信することおよび前記第１のメッセージに応答して、第１の確認応答フレームを送信することと、
前記第１の局において、第２のマルチキャストフレームと第２のメッセージとを受信することと、ここで、前記第２のメッセージは前記応答側局を識別する、
前記第２のメッセージに基づいて、第２の確認応答フレームを選択的に送信することと、
をさらに備える、請求項１に記載の方法。
【請求項５】
前記第１のメッセージおよび前記第２のメッセージはそれぞれ、前記応答側局の前記アイデンティティを示すサービス品質ヌルフレームを備える、請求項４に記載の方法。
【請求項６】
前記第１の局において、複数のシーケンス番号を識別する前記否定応答要求を受信することと、ここで、前記複数のシーケンス番号は複数のマルチキャストフレームを識別する、
前記複数のシーケンス番号に基づいて、前記否定応答要求を選択的に確認応答することと、
をさらに備える、請求項１に記載の方法。
【請求項７】
前記ワイヤレス通信は、前記マルチキャストグループ内の通信のためのファウンテン符号をさらに備え、前記マルチキャストグループは少なくとも前記第１の局と前記第２の局とを含む、請求項１に記載の方法。
【請求項８】
少なくとも前記第１の局および前記第２の局は、前記マルチキャストグループのメンバーである、請求項１に記載の方法。
【請求項９】
ワイヤレス通信のための装置であって、
第１の変調およびコーディング方式と第１のシーケンス番号とを有する第１のマルチキャストフレームを受信するための手段と、
否定応答要求を受信するための手段と、ここで、前記否定応答要求は第２の変調およびコーディング方式と第２のシーケンス番号とを有し、前記第２の変調およびコーディング方式は、前記第１の変調およびコーディング方式よりも低いデータレートを有する、
前記第２のシーケンス番号が前記第１のシーケンス番号と一致しない場合、前記否定応答要求を選択的に確認応答するための手段と、
を備える装置。
【請求項１０】
前記第２のシーケンス番号が前記第１のシーケンス番号と一致しない場合、否定応答を送信するための手段と、
前記否定応答に応答して、アクセスポイントから確認応答フレームを受信するための手段と、
をさらに備える、請求項９に記載の装置。
【請求項１１】
前記アクセスポイントから送信要求メッセージを受信するための手段と、ここで、前記送信要求メッセージは、前記第１の局を識別する、
前記受信することおよびクリアチャネルアセスメントに応答して、送信可メッセージを送信するための手段と、
をさらに備える、請求項１０に記載の装置。
【請求項１２】
第１の局において、前記第１のマルチキャストフレームと第１のメッセージとを受信するための手段と、ここで、前記第１のメッセージは、前記第１の局を応答側局として識別する、
前記第１のメッセージに応答して、第１の確認応答フレームを送信するための手段と、
前記第１の局において、前記第２のマルチキャストフレームと第２のメッセージとを受信するための手段と、ここで、前記第２のメッセージは、前記第２の局を前記応答側局として識別する、
前記第２のメッセージに基づいて、第２の確認応答フレームを選択的に送信するための手段と、
をさらに備える、請求項９に記載の装置。
【請求項１３】
前記第１のメッセージおよび前記第２のメッセージはそれぞれ、前記応答側局の前記アイデンティティを示すサービス品質ヌルフレームを備える、請求項１２に記載の装置。
【請求項１４】
少なくとも前記第１の局および前記第２の局は、前記マルチキャストグループのメンバーである、請求項９に記載の装置。
【請求項１５】
コンピュータ上で実行されたとき、請求項１〜８のうちの一項に記載の方法のすべてのステップを実行するための命令を備える、コンピュータプログラム。
【手続補正２】
【補正対象書類名】明細書
【補正対象項目名】０１５４
【補正方法】変更
【補正の内容】
【０１５４】
[0177]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
［Ｃ１］
ワイヤレス通信のための方法であって、
第１の局において、第１の変調およびコーディング方式と第１のシーケンス番号とを有する第１のマルチキャストフレームを受信することと、
前記第１の局において、否定応答要求を受信することと、ここで、前記否定応答要求は第２の変調およびコーディング方式と第２のシーケンス番号とを有し、前記第２の変調およびコーディング方式は、前記第１の変調およびコーディング方式よりも低いデータレートを有する、
前記第２のシーケンス番号が前記第１のシーケンス番号と一致するかどうかに基づいて、前記否定応答要求を選択的に確認応答することと、
を備える方法。
［Ｃ２］
前記第２のシーケンス番号が前記第１のシーケンス番号と一致しない場合、否定応答を送信することと、
前記否定応答に応答して、アクセスポイントから確認応答フレームを受信することと、
をさらに備える、Ｃ１に記載の方法。
［Ｃ３］
前記アクセスポイントから、送信要求メッセージを受信することと、ここで、前記送信要求メッセージは、前記第１の局を識別する、
前記受信することおよびクリアチャネルアセスメントに応答して、送信可メッセージを送信することと、
をさらに備える、Ｃ１に記載の方法。
［Ｃ４］
前記第１の局において、前記第１のマルチキャストフレームと第１のメッセージとを受信することと、ここで、前記第１のメッセージは、前記第１の局を応答側局として識別し、前記応答側局は、マルチキャストグループの複数の局のうちの１つである、
前記受信することおよび前記第１のメッセージに応答して、第１の確認応答フレームを送信することと、
前記第１の局において、第２のマルチキャストフレームと第２のメッセージとを受信することと、ここで、前記第２のメッセージは前記応答側局を識別する、
前記第２のメッセージに基づいて、第２の確認応答フレームを選択的に送信することと、
をさらに備える、Ｃ１に記載の方法。
［Ｃ５］
前記第１のメッセージおよび前記第２のメッセージはそれぞれ、前記応答側局の前記アイデンティティを示すサービス品質ヌルフレームを備える、Ｃ４に記載の方法。
［Ｃ６］
前記第１の局において、複数のシーケンス番号を識別する前記否定応答要求を受信することと、ここで、前記複数のシーケンス番号は複数のマルチキャストフレームを識別する、
前記複数のシーケンス番号に基づいて、前記否定応答を選択的に確認応答することと、
をさらに備える、Ｃ１に記載の方法。
［Ｃ７］
前記ワイヤレス通信は、前記マルチキャストグループ内の通信のためのファウンテン符号をさらに備え、前記マルチキャストグループは少なくとも前記第１の局と前記第２の局とを含む、Ｃ１に記載の方法。
［Ｃ８］
少なくとも前記第１の局および前記第２の局は、前記マルチキャストグループのメンバーである、Ｃ１に記載の方法。
［Ｃ９］
ワイヤレス通信のための装置であって、
第１の変調およびコーディング方式と第１のシーケンス番号とを有する第１のマルチキャストフレームを受信することと、
否定応答要求を受信することと、ここで、前記否定応答要求は第２の変調およびコーディング方式と第２のシーケンス番号とを有し、前記第２の変調およびコーディング方式は、前記第１の変調およびコーディング方式よりも低いデータレートを有する、
を行うように構成された受信機と、
前記第２のシーケンス番号を前記第１のシーケンス番号と比較するように構成されたプロセッサと、
前記比較に基づいて否定応答を送信するように構成された送信機と、
を備える装置。
［Ｃ１０］
前記受信機は、前記否定応答に応答して、アクセスポイントから確認応答フレームを受信するようにさらに構成される、Ｃ９に記載の装置。
［Ｃ１１］
前記アクセスポイントから送信要求メッセージを受信するようにさらに構成された前記受信機と、ここで、前記送信要求メッセージは応答側局を識別し、前記応答側局はマルチキャストグループの複数の局のうちの１つである、
前記装置のアイデンティティを前記応答側局の前記アイデンティティと比較することと、
前記比較に基づいてクリアチャネルアセスメントを実行することと
を行うようにさらに構成された前記プロセッサと、
前記受信することおよび前記クリアチャネルアセスメントに基づいて、送信可メッセージを送信するようにさらに構成された前記送信機と、
をさらに備える、Ｃ９に記載の装置。
［Ｃ１２］
前記第１のマルチキャストフレームとメッセージとを受信するようにさらに構成された前記受信機と、ここで、前記メッセージは前記応答側局を識別する、
前記装置の前記アイデンティティを前記メッセージで識別された前記応答側局の前記アイデンティティと比較するようにさらに構成された前記プロセッサと、
前記比較に基づいて、確認応答フレームを送信するようにさらに構成された前記送信機と、
をさらに備えるＣ９に記載の装置。
［Ｃ１３］
前記メッセージは、前記応答側局の前記アイデンティティを示すサービス品質ヌルフレームをさらに備える、Ｃ１２に記載の装置。
［Ｃ１４］
前記ワイヤレス通信は、少なくとも前記第１の局を含むマルチキャストグループ内の通信のためのファウンテン符号をさらに備える、Ｃ９に記載の装置。
［Ｃ１５］
少なくとも前記第１の局および前記第２の局は、前記マルチキャストグループのメンバーである、Ｃ９に記載の装置。
［Ｃ１６］
ワイヤレス通信のための装置であって、
第１の変調およびコーディング方式と第１のシーケンス番号とを有する第１のマルチキャストフレームを受信するための手段と、
否定応答要求を受信するための手段と、ここで、前記否定応答要求は第２の変調およびコーディング方式と第２のシーケンス番号とを有し、前記第２の変調およびコーディング方式は、前記第１の変調およびコーディング方式よりも低いデータレートを有する、
前記第２のシーケンス番号が前記第１のシーケンス番号と一致しない場合、前記否定応答要求を選択的に確認応答するための手段と、
を備える装置。
［Ｃ１７］
前記第２のシーケンス番号が前記第１のシーケンス番号と一致しない場合、否定応答を送信するための手段と、
前記否定応答に応答して、アクセスポイントから確認応答フレームを受信するための手段と、
をさらに備える、Ｃ１６に記載の装置。
［Ｃ１８］
前記アクセスポイントから送信要求メッセージを受信するための手段と、ここで、前記送信要求メッセージは、前記第１の局を識別する、
前記受信することおよびクリアチャネルアセスメントに応答して、送信可メッセージを送信するための手段と、
をさらに備える、Ｃ１６に記載の装置。
［Ｃ１９］
第１の局において、前記第１のマルチキャストフレームと第１のメッセージとを受信するための手段と、ここで、前記第１のメッセージは、前記第１の局を応答側局として識別する、
前記第１のメッセージに応答して、第１の確認応答フレームを送信するための手段と、
前記第１の局において、前記第２のマルチキャストフレームと第２のメッセージとを受信するための手段と、ここで、前記第２のメッセージは、前記第２の局を前記応答側局として識別する、
前記第２のメッセージに基づいて、第２の確認応答フレームを選択的に送信するための手段と、
をさらに備える、Ｃ１６に記載の装置。
［Ｃ２０］
前記第１のメッセージおよび前記第２のメッセージはそれぞれ、前記応答側局の前記アイデンティティを示すサービス品質ヌルフレームを備える、Ｃ１９に記載の装置。